(57)【特許請求の範囲】
【請求項１】
透光性を備える部材で構成され押圧操作される操作ノブと、
前記操作ノブが固定され、前記操作ノブの押圧操作方向に進退移動可能なスライダと、
前記スライダを進退移動可能に内部に保持するケースと、
前記ケースに収容された光源と、
前記光源から発せられた光を導く導光領域と、
前記操作ノブと前記導光領域との間に設けられ、前記操作ノブの透光性よりも低い透光性を備えた加飾部材と、
を備え、
前記加飾部材は、板状の部材であり、
前記操作ノブは有底筒状に形成され、その底面に文字及び図形の少なくとも一方が表示されており、
前記光源の非発光時には、前記加飾部材が前記ケースの内部を視認不能とし、前記光源が発光時には、前記光源からの光を透過させて前記文字及び図形の少なくとも一方を視認させること、
を特徴とする操作装置。
【請求項２】
前記スライダは、前記光源から発せられた光が通過する導光領域を有し、
前記導光領域と前記操作ノブとの間に、前記光源からの光の透過量を調整して前記加飾部材に伝えるフィルタを備えること、
を特徴とする請求項１に記載の操作装置。
【請求項３】
前記光源は、ユーザーが選択した操作モードを標示するための光を発する標示用光源を有しており、
一部が前記スライダの導光領域内に収容され、前記スライダから露出する部位の表面に遮光部を有し、前記標示用光源から発せられた光を導く標示用導光体をさらに備えること、
を特徴とする請求項２に記載の操作装置。
【請求項４】
前記光源は、ユーザーの視認性を向上させるための光を発する視認向上用光源をさらに有し、
前記視認向上用光源から発せられた光を前記加飾部材の全面に導光する視認向上用第１光学部材と、
前記標示用導光体の周囲に配置され、前記視認向上用光源から発せられた光を前記加飾部材の特定箇所に導光する視認向上用第２光学部材と、
をさらに備えること、
を特徴とする請求項３に記載の操作装置。
【請求項５】
前記光源が設けられたプリント基板を有し、
前記プリント基板に電気的に接続されて前記ケース内に収容されており、ユーザーが所持する携帯機を作動させる起動電波を送信するリング状のコイルアンテナをさらに備えており、
前記視認向上用第１光学部材及び前記視認向上用第２光学部材は、前記加飾部材と前記コイルアンテナとに囲まれた空間に配置されていること、
を特徴とする請求項４に記載の操作装置。
【請求項６】
前記加飾部材は、貝殻をスライスした板状の部材であること、
を特徴とする請求項１から請求項５までのいずれか１項に記載の操作装置。
【発明の詳細な説明】
【技術分野】
【０００１】
本発明は、操作装置に関するものである。
【背景技術】
【０００２】
車両のスイッチとして用いられる押圧操作が可能な操作部には、合成樹脂が用いられ、スイッチ操作部の意匠性を向上するため、樹脂へ塗装を施したり、水圧転写フィルム等により加飾したりする技術が知られている。
しかし、このように加飾された従来のスイッチ操作部は、高級感や本物感が乏しいものであった。
【０００３】
一方、合成樹脂への加飾を用いずに、高級感や本物感を高めた部材は従来から存在している。しかし、例えば、特許文献１に開示されているように、車両に用いられる操作装置は、操作ポジションをユーザーに標示するための標示部に照明が用いられる。また、夜間等に視認性を向上させるための照明が用いられる。このように、車両に用いられる操作装置には、照明構造が必要であるが、合成樹脂への加飾を用いずに高級感や本物感を高めた従来の部材に対しては、照明構造を付与することが難しかった。
【先行技術文献】
【特許文献】
【０００４】
【特許文献１】特開２０１４−１６７２６１号公報
【発明の概要】
【発明が解決しようとする課題】
【０００５】
本発明の課題は、操作部の照明が可能であって、かつ、意匠性が高く、高級感のある操作装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、透光性を備える部材で構成され押圧操作される操作ノブ（１４）と、前記操作ノブ（１４）が固定され、前記操作ノブ（１４）の押圧操作方向に進退移動可能なスライダ（８）と、前記スライダ（８）を進退移動可能に内部に保持するケース（１）と、前記ケース（１）に収容された光源（３ａ，３ｂ）と、前記光源（３ａ，３ｂ）から発せられた光を導く導光領域（８ａ，８ｂ）と、前記操作ノブ（１４）と前記導光領域（８ａ，８ｂ）との間に設けられ、前記操作ノブ（１４）の透光性よりも低い透光性を備えた加飾部材（１３）と、を備え、前記加飾部材（１３）は、板状の部材であり、前記操作ノブ（１４）は有底筒状に形成され、その底面に文字（１４ｂ）及び図形の少なくとも一方が表示されており、前記光源（３ａ、３ｂ）の非発光時には、前記加飾部材（１３）が前記ケース（１）の内部を視認不能とし、前記光源（３ａ、３ｂ）が発光時には、前記光源（３ａ、３ｂ）からの光を透過させて前記文字及び図形の少なくとも一方を視認させること、を特徴とする操作装置（１００）である。
【０００８】
請求項２の発明は、前記スライダ（８）は、前記光源（３ａ，３ｂ）から発せられた光が通過する導光領域（８ａ，８ｂ）を有し、前記導光領域（８ａ，８ｂ）と前記操作ノブ（１４）との間に、前記光源（３ａ，３ｂ）からの光の透過量を調整して前記加飾部材（１３）に伝えるフィルタ（１２）を備えること、を特徴とする請求項１に記載の操作装置（１００）である。
【０００９】
請求項３の発明は、前記光源（３ａ，３ｂ）は、ユーザーが選択した操作モードを標示するための光を発する標示用光源（３ａ）を有しており、一部が前記スライダ（８）の導光領域（８ａ）内に収容され、前記スライダ（８）から露出する部位の表面に遮光部（９ｆ）を有し、前記標示用光源（３ａ）から発せられた光を導く標示用導光体（９）をさらに備えること、を特徴とする請求項２に記載の操作装置（１００）である。
【００１０】
請求項４の発明は、前記光源（３ａ，３ｂ）は、ユーザーの視認性を向上させるための光を発する視認向上用光源（３ｂ）をさらに有し、前記視認向上用光源（３ｂ）から発せられた光を前記加飾部材（１３）の全面に導光する視認向上用第１光学部材（１１）と、前記標示用導光体（９）の周囲に配置され、前記視認向上用光源（３ｂ）から発せられた光を前記加飾部材（１３）の特定箇所に導光する視認向上用第２光学部材（１０）と、をさらに備えること、を特徴とする請求項３に記載の操作装置（１００）である。
【００１１】
請求項５の発明は、前記光源が設けられたプリント基板（３）を有し、前記プリント基板（３）に電気的に接続されて前記ケース（１）内に収容されており、ユーザーが所持する携帯機を作動させる起動電波を送信するリング状のコイルアンテナ（７ａ）をさらに備えており、前記視認向上用第１光学部材（１１）及び前記視認向上用第２光学部材（１０）は、前記加飾部材（１３）と前記コイルアンテナ（７ａ）とに囲まれた空間に配置されていること、を特徴とする請求項４に記載の操作装置（１００）である。
【００１２】
請求項６の発明は、前記加飾部材（１３）は、貝殻をスライスした板状の部材であること、を特徴とする請求項１から請求項５までのいずれか１項に記載の操作装置（１００）である。
【発明の効果】
【００１３】
本発明によれば、操作部の照明が可能であって、かつ、意匠性が高く、高級感のある操作装置を提供することができる。
【図面の簡単な説明】
【００１４】
【図１】本発明による操作装置１００の実施形態を示す斜視図である。
【図２】操作装置１００の分解斜視図である。
【図３】操作装置１００の正面図である。
【図４】図３中の矢印Ａ−Ａの位置で切断した断面図である。
【図５】図３中の矢印Ｂ−Ｂの位置で切断した断面図である。
【図６】図４中の範囲Ｃを拡大して示した図である。
【図７】標示用導光体９を拡大して示した斜視図である。
【図８】操作ノブ１４と加飾部材１３とフィルタ１２とを取り外した状態の操作装置１００の正面図である。
【図９】光源の発光状態による見え方を説明するための操作装置１００の正面図である。
【発明を実施するための形態】
【００１５】
以下、本発明を実施するための最良の形態について図面等を参照して説明する。
【００１６】
（実施形態）
図１は、本発明による操作装置１００の実施形態を示す斜視図である。
図２は、操作装置１００の分解斜視図である。
図３は、操作装置１００の正面図である。
図４は、図３中の矢印Ａ−Ａの位置で切断した断面図である。
図５は、図３中の矢印Ｂ−Ｂの位置で切断した断面図である。
なお、図１から図５を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
さらに、以下の説明では、図４中の左側を前、右側を後として説明を行うが、この向きは、説明の便宜上用いるものであり、実際の使用状況をこの向きに限定するものではない。
【００１７】
本実施形態の操作装置１００は、例えば、車両のインストルメントパネルに設置され、スマートイグニッションシステムを搭載した車両のエンジンスタート・ストップスイッチである。なお、本発明は、車両のエンジンスタート・ストップスイッチに用いる場合に限らず、例えば、ヒーターコントロール操作装置のプッシュノブに用いてもよいし、車両以外の機器に用いてもよい。
図１、図２、図４、及び、図５に示すように、本実施形態の操作装置１００は、ケース１の内部に、ターミナルベース２と、プリント基板３と、ネジ４と、ラバーコンタクト５と、カバー６と、ボビン７と、スライダ８と、標示用導光体９と、視認向上用第２光学部材１０と、視認向上用第１光学部材１１と、フィルタ１２と、加飾部材１３と、操作ノブ１４とを備え、操作装置１００の前端部にベゼル１５を備えている。
【００１８】
ケース１は、略円筒形状に形成されており、スライダ８を前後方向で進退移動可能に内部に保持している。ケース１の内部には、スライダ８の進退移動をガイドするガイド部１ａ，１ｂが複数形成されている。また、ケース１には、係合部１ｃが複数箇所設けられている。
【００１９】
ターミナルベース２は、後端側に矩形筒状のコネクタ２ａを有している。このコネクタ２ａには、複数本の金属製の接続端子２ｂが設けられている。また、ターミナルベース２は、複数の爪部２ｃを備えており、この爪部２ｃがケース１の係合部１ｃに係合することにより、ターミナルベース２は、ケース１の後側から固定されている。
【００２０】
プリント基板３は、ケース１とターミナルベース２との間に配置されており、ネジ４を用いてターミナルベース２に対して固定された状態で、ケース１内に収容されている。プリント基板３には、端子挿入孔３ｃが複数開口されており、ターミナルベース２の接続端子２ｂが挿入されて、半田付けされている。
また、プリント基板３の前側面には、ＬＥＤにより構成された光源が複数設けられている。具体的には、標示用光源３ａと、視認向上用光源３ｂとが設けられている。
標示用光源３ａは、ユーザーが選択した操作モードを標示するための光、すなわちインジケータとしての光を発する。
視認向上用光源３ｂは、ユーザーの視認性を向上させるための光、すなわち、照明光を発する。このユーザーの視認性を向上させるための光とは、例えば、夜間照明等を例に挙げることができるが、夜間に限らず、必要に応じて光を発するようにしてもよい。
また、プリント基板３には、ラバーコンタクト５の位置決め用の位置決め孔部３ｄが２箇所設けられている。
【００２１】
ラバーコンタクト５は、プリント基板３とケース１との間に配置されており、後方に突出した位置決めボス部５ｂがプリント基板３の位置決め孔部３ｄに嵌合している。
ラバーコンタクト５は、ドーム状に形成された接点部５ａを２つ備えている。この接点部５ａの後側面には、導電部が形成されており、スライダ８が後方へ押下されることにより、この接点部５ａが後方に押下されると、接点部５ａの導電部とプリント基板３上の接点部とが接触して、スイッチ操作が行われる。なお、接点部５ａの表面はラバーのみであり、プリント基板３と対向する裏面の一部にのみ導電部が形成されている。
【００２２】
カバー６は、操作装置１００の後端部を覆う蓋として設けられており、３箇所の爪部６ａがターミナルベース２の不図示の係合部に係合することにより、ターミナルベース２に対して固定されている。
【００２３】
ボビン７は、リング状に形成されており、外周にリング状のコイルアンテナ７ａを備えている。なお、図２では、コイルアンテナ７ａを省略して示している。
コイルアンテナ７ａは、プリント基板３に電気的に接続されており、ボビン７とともにケース１内に収容されている。コイルアンテナ７ａは、ユーザーが所持する携帯機を作動させる起動電波を送信する。
【００２４】
スライダ８は、その前側に操作ノブ１４が固定されており、操作ノブ１４の押圧操作方向である前後方向に進退移動可能な状態で、ケース１内に保持されている。
スライダ８には、光源から発せられた光を導く導光領域として、第１導光領域８ａと第２導光領域８ｂとが設けられている。
【００２５】
第１導光領域８ａは、標示用光源３ａが発したインジケータとしての光が通過する領域であり、本実施形態では、この第１導光領域８ａの全領域に標示用導光体９を配置している。したがって、標示用光源３ａが発した光は、全て第１導光領域８ａに設けられた標示用導光体９によって前方へ導かれる。
【００２６】
第２導光領域８ｂは、視認向上用光源３ｂが発したユーザーの視認性を向上させるための光が通過する領域であり、本実施形態では、この第２導光領域８ｂの一部領域に視認向上用第２光学部材１０を配置している。したがって、視認向上用光源３ｂが発した光は、その一部が視認向上用第２光学部材１０によって前方へ導かれ、残る光は、第２導光領域８ｂの空間内を通過して前方へ進む。
【００２７】
標示用導光体９は、例えば、メタクリル（アクリル）樹脂やポリカーボネイト樹脂等のような透光性の高い樹脂により形成されており、フィルタ１２の直後から標示用光源３ａの近傍まで略直方体形状で延在している。標示用導光体９は、鍔部９ｅよりも後方の部分である挿入部９ｃ（図７参照）が第１導光領域８ａ内に挿入されている。標示用導光体９の前方部９ｄは、視認向上用第２光学部材１０及び視認向上用第１光学部材１１を貫通して配置されており、その前端部９ｂは、フィルタ１２の直後に配置されている。標示用導光体９は、標示用光源３ａが発したインジケータとしての光を後端部９ａから受け入れ、フィルタ１２の直後において前端部９ｂから出射させる。
標示用光源３ａには、ＬＥＤを用いていることから、その光は、直進性が高く、標示用導光体９の前端部９ｂからそのまま出射させると、利用者が視認可能な角度範囲が狭くなってしまう。そこで、視認可能な角度範囲を広げるために、前端部９ｂには、微細な凹凸形状を設け、光拡散作用を付与している。なお、本実施形態では標示用導光体９を略直方体形状で形成しているが、略円柱形状等の他の形状であってもかまわない。標示用導光体９のより詳しい説明は、後述する。
【００２８】
視認向上用第２光学部材１０は、標示用導光体９と同様に、例えば、メタクリル（アクリル）樹脂やポリカーボネイト樹脂等のような透光性の高い樹脂により形成されており、視認向上用光源３ｂからフィルタ１２の直後まで、一部が曲線状の導光経路を構成している。視認向上用第２光学部材１０は、後端部１０ａが視認向上用光源３ｂに対向する位置に配置され、前方の部位が標示用導光体９の周囲を囲むように配置され、前端部１０ｂがフィルタ１２の直後に配置されている。視認向上用第２光学部材１０は、視認向上用光源３ｂから発せられた光を加飾部材１３の特定箇所に導光する。なお、視認向上用第２光学部材１０のより詳しい説明は、後述する。
【００２９】
視認向上用第１光学部材１１は、標示用導光体９と同様に、例えば、メタクリル（アクリル）樹脂やポリカーボネイト樹脂等のような透光性の高い樹脂により形成されている。視認向上用第１光学部材１１は、フィルタ１２の後側の略全面に亘って配置されており、視認向上用光源３ｂから発せられた光を加飾部材１３の全面に均一に出射する。そのために、視認向上用第１光学部材１１は、前面側及び後面側に、断面形状が楔形状に形成された複数の凹凸形状が設けられており、フレネルレンズと同様な作用を有している。なお、この凹凸形状の大きさや形状が場所により異なっているのは、加飾部材１３を均一に照射するためである。
視認向上用第１光学部材１１は、その後端部１１ａが、スライダ８の第２導光領域８ｂの開口寸法内に収まるように、前側部分よりも小さく形成されている。視認向上用第１光学部材１１は、この面積が加飾部材１３よりも小さい後端部１１ａから取り入れた光を、加飾部材１３の全面に略均一に照射する。
【００３０】
図４及び図５に示すように、上述の視認向上用第１光学部材１１及び視認向上用第２光学部材１０は、加飾部材１３とコイルアンテナ７ａとに囲まれた空間に配置されている。コイルアンテナ７ａは、通信特性を良好にするために、ケース１内においてできる限り外周側に配置する必要があり、したがって、視認向上用第１光学部材１１及び視認向上用第２光学部材１０は、このコイルアンテナ７ａと干渉しないように、その内側に配置されている。
【００３１】
フィルタ１２は、加飾部材１３の後面に沿って配置されており、スライダ８の第１導光領域８ａ及び第２導光領域８ｂと操作ノブ１４との間にあって、光源からの光の透過量及び色彩を調整して加飾部材に伝える。フィルタ１２は、光源からの光を透過し、かつ、輝度を調整、すなわち適切な輝度に減光し、かつ、光を適度に拡散して、加飾部材１３の全面に光を均一にして伝える。本実施形態のフィルタ１２は、厚さ０．５ｍｍのポリカーボネイト樹脂に、透過量を減らすためのシルク印刷を施して作製している。よって、例えば光が強く照射される部位、弱くしか照射されない部位に応じて、シルク印刷の濃淡を変更することによって、フィルタ１２全面の光の透過量を均一にすることもできる。また、シルク印刷のインクに青色や赤色を用いることで、ＬＥＤ発光色（例えば白色）から青色や赤色の発光色が加飾部材１３に照射される構成とすることもできる。
【００３２】
加飾部材１３は、スライダ８の第１導光領域８ａ及び第２導光領域８ｂと操作ノブ１４との間に設けられた板状の部材である。本実施形態の加飾部材１３は、貝殻をスライスした板状の部材である。加飾部材１３は、操作ノブ１４の透光性よりも光の透過性が低い透光性を備えており、半透明の状態となっている。加飾部材１３として用いる材料の条件として、昼間の外光では、その表面が照らされて、加飾部材１３の奥が透けて見えるようなことがなく、かつ、夜間の照明時には、加飾部材１３の部材の模様を含めて、照明光が透過できることが挙げられる。したがって、そのような条件を満たすものであれば、加飾部材１３に用いることが可能であり、貝殻に限らず、例えば、木材を薄くスライスしたものであってもよいし、自然素材に限らず、人工的に作製したものであってもよい。
なお、貝殻をスライスした本実施形態の加飾部材１３は、上述の条件を全て満たしており、非常に意匠性が高く、高級感及び本物感の高い素材である。
【００３３】
操作ノブ１４は、透光性を備える部材で構成されており、利用者によって押圧操作される部材である。本実施形態の操作ノブ１４は、透明のポリカーボネイト樹脂により形成され、傷つき防止のために表面にクリア塗装を施している。
操作ノブ１４は、利用者によって直接触れられることから、衝撃による割れ防止の観点から、メタクリル（アクリル）樹脂を用いずにポリカーボネイト樹脂を用いて構成したが、ガラス等、他の材料を用いて構成してもよい。
操作ノブ１４は、係合部１４ａがスライダ８の爪部８ｃに係合することにより、スライダ８に対して一体となって固定されている。よって、操作ノブ１４を利用者が押圧操作すると、操作ノブ１４とスライダ８とは、一体となって前後方向で進退移動することができる。
操作ノブ１４は、後側に開口した有底筒状に形成され、この後側の底面にシンボル１４ｂが印刷により表示されている。本実施形態のシンボル１４ｂは、「ＳＴＡＲＴ」、「ＳＴＯＰ」、「ＥＮＧＩＮＥ」の文字により構成されているが、文字に限らず、図形であってもよいし、文字と図形とを組み合わせたものであってもよい。シンボル１４ｂは、透明の操作ノブ１４に設けられているので、照明が点灯しているか否かに関わらず、操作ノブ１４を透して視認可能である。
操作ノブ１４は、押下されると後方に移動するが、利用者が操作をやめて操作ノブ１４を押圧する力が取り除かれると、ラバーコンタクト５の接点部５ａの復元力により、図４及び図５の初期位置に自動的に復帰する。なお、この初期位置は、ケース１に設けられた不図示の当接部にスライダ８の不図示の当接部が当接して位置決めされている。
【００３４】
ベゼル１５は、略リング状に形成されており、係合部１５ａがケース１の爪部１ｄに係合することにより、ケース１の前端部に固定されている。ベゼル１５は、ケース１の前端部、及び、ケース１と操作ノブ１４との間の隙間を隠し、外観を装飾することを主な目的として設けられている。
【００３５】
上述した構成によって、本実施形態の操作装置１００は、貝殻をスライスして形成した加飾部材１３を用いて高級感及び本物感があって意匠性の高い装置としながら、適切な照明及び標示を行えるように構成されている。以下、操作装置１００の照明及び標示に関して、より具体的に説明する。
【００３６】
操作装置１００は、視認向上用光源３ｂのＯＮ時（照明ＯＮ時）に視認向上用光源３ｂからの光は、第２導光領域８ｂの空間を通過して視認向上用第１光学部材１１により加飾部材１３の略全面に到達する光と、第２導光領域８ｂに配置された視認向上用第２光学部材１０により加飾部材１３の特定の領域に到達する光とにより、加飾部材１３の全面から透過して利用者によって視認される。シンボル１４ｂは、透明に形成された操作ノブ１４の裏面に形成されているので、加飾部材１３をバックにして、前面から視認される。
ここで、本実施形態の操作装置１００には、標示用導光体９をさらに設けているので、単純に後方から加飾部材１３に向けて全体を照明しただけでは、視認向上用光源３ｂの光と標示用光源３ａの光とが混ざってしまったり、視認向上用光源３ｂの光が均一に加飾部材１３を照明できずに不均一になってしまったりする。
【００３７】
図６は、図４中の範囲Ｃを拡大して示した図である。
図７は、標示用導光体９を拡大して示した斜視図である。
加飾部材１３は、半透明で光透過性が高く、近接して面する部材は、透けて見えてしまうため、加飾部材１３及びフィルタ１２と対向するスライダ８の前側部分は、加飾部材１３及びフィルタ１２から距離を空けて配置しており、加飾部材１３及びフィルタ１２の近傍には、標示用導光体９と、視認向上用第２光学部材１０と、視認向上用第１光学部材１１との３つの光学部材を配置している。
ここで、単純に３つの光学部材を近くに配置しただけでは、標示用光源３ａと視認向上用光源３ｂとが同時に点灯した場合に、各光が本来予定していない光学部材に入射してしまって混ざってしまう。また、一方の光源のみが点灯する場合であっても、本来予定しない光学部材への光の入射によって、発光させたくない部位が光って見えてしまうおそれもある。
このような場合によく取られる手法として、樹脂製の遮光部を標示用導光体に沿って標示面まで延ばす手法がある。しかし、本実施形態の加飾部材１３は、貝殻を薄くスライスした半透明の板状部材であるため、近接して面する部材は透けて見えてしまう。
【００３８】
そこで、本実施形態では、図６及び図７に示すように、標示用導光体９のスライダ８から露出する前側の部位の表面に薄肉の遮光部９ｆを形成している。遮光部９ｆは、鍔部９ｅの前面部分にも設けられており、標示用導光体９内を進む光が前端部９ｂ以外から漏れないようにしている。
遮光部９ｆを設けることにより、各光源からの光が混じることなく、それぞれの光源からの光が、適切に必要な部位に到達できる。なお、遮光部９ｆは、薄肉に形成されているので、照明不使用時に遮光部が透けて見えることもない。
【００３９】
遮光部９ｆを薄肉形成するためには、例えば、以下の製造方法が考えられ、これらの中から適宜選択して用いるとよい。
製造方法１：塗装
塗装により遮光部９ｆを形成する利点は、形成作業が容易であり、また、形状の自由度があることから、遮光部９ｆを形成する部位の形状が複雑であっても遮光部を形成できることである。
本実施形態では、塗装を用いて遮光部９ｆを形成した。
【００４０】
製造方法２：シート貼り付け
シート貼り付けにより遮光部９ｆを形成する利点は、形成作業が容易であり、また、反射効率が落ちないので輝度が低下しない点である。
【００４１】
製造方法３：蒸着又はスパッタリング
蒸着又はスパッタリングにより遮光部９ｆを形成する利点は、メッキ調とすると反射効率が上がり輝度を向上でき、標示用導光体９自体が反射体となり照明の輝度低下を防止できる点である。
【００４２】
製造方法４：熱収縮チューブ
熱収縮チューブにより遮光部９ｆを形成する利点は、形成作業が容易であり、形状の自由度も高く、また、安価である点である。
【００４３】
製造方法５：水圧転写又は真空成形
水圧転写又は真空成形により遮光部９ｆを形成する利点は、形状の自由度が高い点である。
【００４４】
製造方法６：不連続蒸着
不連続蒸着により遮光部９ｆを形成する利点は、蒸着又はスパッタリングの利点と同様な点に加えて、電気を通さないためノイズ等、通信性能に影響を及ぼさない。
【００４５】
図８は、操作ノブ１４と加飾部材１３とフィルタ１２とを取り外した状態の操作装置１００の正面図である。
なお、図８中には、視認向上用第１光学部材１１よりも後側にある第２導光領域８ｂを破線で併記している。
本実施形態の操作装置１００は、エンジンスタートスイッチに適用するものである。したがって、操作装置１００内には、操作ノブ１４及びスライダ８、プリント基板３の他に、利用者の所持する携帯機（リモコン等）と通信を行うためのコイルアンテナ７ａを有するボビン７や、利用者に操作状態を標示する標示用導光体９等、多くの部品が収容されている。これら各種部品が収容されていることにより、視認向上用光源３ｂが発したユーザーの視認性を向上させるための光が通過することができる領域は、制限されてしまう。
【００４６】
具体的には、図８に示すように、本実施形態では、視認向上用光源３ｂの発する光が伝わる空間であるスライダに形成された第２導光領域８ｂを正面から見たときの面積が、他の部品の制約のために操作ノブ１４の面積よりも小さい。そのため、第２導光領域８ｂから遠い部分である図８中に示した領域Ｄの輝度が、他の部分より低く、そのままでは、加飾部材１３の全面を均一に照明することができない。そこで、本実施形態では、視認向上用第１光学部材１１を設けることにより、領域Ｄを含めた全面に均一に光を導光している。
【００４７】
また、上述したように、標示用導光体９に遮光部９ｆを設けたため、スライダ８の第２導光領域８ｂを通過した視認向上用光源３ｂからの光が、標示用導光体９の遮光部９ｆにより遮られ、そのままでは、図８中に示した領域Ｅの輝度が低くなってしまう。そこで、本実施形態では、標示用導光体９の遮光部９ｆによって遮られる特定箇所（領域Ｅ）に視認向上用光源３ｂからの光を回りこませて導光する視認向上用第２光学部材１０を設け、領域Ｅの輝度を高くして、加飾部材１３の全体が均一に発光しているように見せている。
【００４８】
次に、図３及び図９を用いて、操作装置１００における操作ノブ１４の見え方について説明する。
図９は、光源の発光状態による見え方を説明するための操作装置１００の正面図である。
先に示した図３は、視認向上用光源３ｂをＯＦＦとしたときの正面図を示している。また、図９は、視認向上用光源３ｂをＯＮとした状態と、視認向上用光源３ｂをＯＦＦとした状態との双方の説明に用いるものとする。
【００４９】
視認向上用光源３ｂのＯＦＦ時には、加飾部材１３により遮られるため、操作装置１００の内側は見えない。よって、透明な操作ノブ１４の裏にシンボル１４ｂが見えて、その背後に加飾部材の前側表面が見える。加飾部材１３は、照明ＯＦＦ時には、外光に照らされた意匠面（前面）が視認されて、貝殻の美しい模様を見せることができる。
標示用導光体９は、加飾部材１３より後側にあるため、標示用光源３ａのＯＦＦ時には見えないので、視認向上用光源３ｂがＯＦＦであれば図３のような見え方となるが、視認向上用光源３ｂがＯＮであると、標示用導光体９に対応する領域Ｆが発光せずに、図９中の領域Ｆが暗く見えることとなる。
【００５０】
視認向上用光源３ｂのＯＮ時には、加飾部材１３は、視認向上用光源３ｂの光を透過して、加飾部材１３の全面が発光する。加飾部材１３の全面を均一に照明するために、フィルタ１２と、視認向上用第１光学部材１１と、視認向上用第２光学部材１０とが有効に作用する。このとき、シンボル１４ｂは、操作ノブ１４の後面に印刷されているので、シンボル１４ｂの部分は光が透過せず、シンボル１４ｂ以外が光る。
【００５１】
標示用光源３ａがＯＮ時には、標示用光源３ａからの光は、加飾部材１３を透過する。したがって、図９中の領域Ｆが発光する。
なお、標示用光源３ａと視認向上用光源３ｂとの発光色を互いに異なる色としておくことにより、視認向上用光源３ｂのＯＮ／ＯＦＦどちらの場合でも、標示用光源３ａによる光を視認できる。
【００５２】
上述した見え方をまとめると、下記の４通りとなる。
（見え方１）
標示用光源３ａがＯＦＦ、視認向上用光源３ｂがＯＦＦの状態で、図３の見え方。
（見え方２）
標示用光源３ａがＯＮ、視認向上用光源３ｂがＯＦＦの状態で、図９の領域Ｆのみ発光する見え方。
（見え方３）
標示用光源３ａがＯＮ、視認向上用光源３ｂがＯＮの状態で、図９の領域Ｆと操作ノブ１４の全面との両方が発光する見え方。
（見え方４）
標示用光源３ａがＯＦＦ、視認向上用光源３ｂがＯＮの状態で、図９の領域Ｆが暗く見え、操作ノブ１４の全面が発光する見え方。
【００５３】
なお、本実施形態では、上記した（見え方４）のように図９の領域Ｆが暗く見える見え方が存在する構成で説明したが、プリント基板３上の標示用光源３ａが配置する領域に、視認向上用光源３ｂと同じ色で発光して照射光が標示用導光体９に入射する視認向上用光源３ｂ’（図示せず）を追加し、かつ、視認向上用光源３ｂのＯＮ／ＯＦＦに連動して視認向上用光源３ｂ’も発光するように制御することにより、視認向上用光源３ｂが発光する時は領域Ｆも視認向上用光源３ｂ’によって同色に発光し、領域Ｆが暗く見えることがない構成とすることもできる。なお、視認向上用光源３ｂ’はＬＥＤを追加してもよいし、標示用光源３ａと視認向上用光源３ｂ’を兼ねる多色発光ＬＥＤを用いてもよい。
【００５４】
以上説明したように、本実施形態の操作装置１００は、透光性を備える部材で構成され操作ノブ１４と、操作ノブ１４の透光性よりも光の透過性が低い透光性を備えた加飾部材１３とを組み合わせたので、光源から光が発せられない状態では加飾部材１３のみが視認されて、加飾部材１３を通して装置外から装置内部が見えることがない。また、光源から光が発せられた状態では、加飾部材１３を透過した光がユーザーに視認される。よって、視認向上用光源３ｂによる照明がＯＮとＯＦＦとのいずれの状態においても、意匠性が高く、高級感のある操作装置を提供することができる。
【００５５】
また、本実施形態の操作装置１００は、操作ノブ１４の底面にシンボル１４ｂを表示したので、照明ＯＦＦ時には加飾部材１３を背後にシンボルを視認でき、照明ＯＮ時には加飾部材１３を透過した光がシンボル１４ｂの印字部分のみ遮られて、シンボル１４ｂをはっきりと視認することができる。
【００５６】
さらに、本実施形態の操作装置１００は、光源からの光の透過量及び色彩を調整して加飾部材１３に伝えるフィルタ１２を備える。貝殻をスライスした加飾部材１３は、物理的・化学的耐性が比較的弱く、直に調光処理を施せない。しかし、フィルタ１２を別途設けることにより、照明ＯＦＦ時は加飾部材１３の視認性を向上させることができ、照明ＯＮ時は加飾部材１３を透過する光の輝度が均一となるように調整することが容易となる。
また、光源の発光色を変更することなく、フィルタ１２の印刷色を変更するだけで、加飾部材１３に照射される光の色彩を調整することができる。
【００５７】
さらにまた、本実施形態の操作装置１００は、スライダ８から露出する部位の表面に薄肉の遮光部９ｆを有し、標示用光源３ａから発せられた光を導く標示用導光体９を備えるので、照明不使用時に標示用導光体９の遮光部９ｆがユーザーに視認されてしまうことがなく、また、標示用光源３ａからの光を必要な位置にだけ導くことができる。
【００５８】
また、本実施形態の操作装置１００は、視認向上用第１光学部材１１と、視認向上用第２光学部材１０とを設けたので、標示用光源３ａと、視認向上用光源３ｂとの双方を配置した本実施形態のような構成であっても、これら異なる光源からの光が互いに混ざって照明されるというおそれがなく、加飾部材１３の全面を均一に照明することができる。また、視認向上用光源３ｂからの光が遮光部９ｆによって遮られて一部が暗くなってしまうことも防止できる。
【００５９】
さらに、本実施形態の操作装置１００は、視認向上用第１光学部材１１及び視認向上用第２光学部材１０が、加飾部材１３とコイルアンテナ７ａとに囲まれた空間に配置されているので、導光用の空間が狭くなっていても、各光学部材の作用により加飾部材１３を均一に照明でき、照明のＯＮ／ＯＦＦいずれの場合においても意匠性を高めることができる。
【００６０】
さらにまた、本実施形態の操作装置１００は、加飾部材１３が貝殻をスライスした板状部材で形成されているので、照明のＯＮ／ＯＦＦいずれの場合においても意匠性が高く、高級感、本物感のある装置とすることができる。
【符号の説明】
【００６１】
１      ケース
１ａ    ガイド部
１ｂ    ガイド部
１ｃ    係合部
１ｄ    爪部
２      ターミナルベース
２ａ    コネクタ
２ｂ    接続端子
２ｃ    爪部
３      プリント基板
３ａ    標示用光源
３ｂ    視認向上用光源
３ｃ    端子挿入孔
３ｄ    位置決め孔部
４      ネジ
５      ラバーコンタクト
５ａ    接点部
５ｂ    位置決めボス部
６      カバー
６ａ    爪部
７      ボビン
７ａ    コイルアンテナ
８      スライダ
８ａ    第１導光領域
８ｂ    第２導光領域
８ｃ    爪部
９      標示用導光体
９ａ    後端部
９ｂ    前端部
９ｃ    挿入部
９ｄ    前方部
９ｅ    鍔部
９ｆ    遮光部
１０    視認向上用第２光学部材
１０ａ  後端部
１０ｂ  前端部
１１    視認向上用第１光学部材
１１ａ  後端部
１２    フィルタ
１３    加飾部材
１４    操作ノブ
１４ａ  係合部
１４ｂ  シンボル
１５    ベゼル
１５ａ  係合部
１００  操作装置
【図１】
0006628087.tif 000002
【図２】
0006628087.tif 000003
【図３】
0006628087.tif 000004
【図４】
0006628087.tif 000005
【図５】
0006628087.tif 000006
【図６】
0006628087.tif 000007
【図７】
0006628087.tif 000008
【図８】
0006628087.tif 000009
【図９】
0006628087.tif 000010